(57)【要約】ワイヤレス装置からのＦＭ変調出力信号と接続するための有効ＦＭ周波数チャネルを判断する方法と装置は、ここに記述される。ＧＰＳ受信機のようなＳＰＳ受信機は、従来の技術に基づいて、その位置を判断することができる。ＳＰＳ受信機は、音声出力が送信されるかもしれない１つ以上の有効ＦＭチャネルを判断することができる。ＳＰＳ受信機は、有効チャネルのローカルデータベースにアクセスする判断された位置を使用することができる。あるいは、ＳＰＳ受信機は、１つ以上の有効チャネルを判断するために割り付けられたチャネルのローカルデータベースにアクセスするために前記判断された位置を使用することができる。ＳＰＳ受信機は、出力音声が変調されるＦＭチャネルを示すプロンプトかメッセージを表示するかもしれない。
2011524688.tif 000002
【特許請求の範囲】
【請求項１】
モバイル受信機の地理的位置を判断することと、
前記地理的位置に基づいて少なくとも１つの候補周波数(candidate frequency)を判断するためにデータベースにアクセスすることと、
前記少なくとも１つの候補周波数から選択した望ましい周波数で変調された情報を提供することとを含む、出力周波数を判断する方法。
【請求項２】
前記少なくとも１つの候補周波数に基づいて出力周波数に関してユーザに指示することと、
前記望ましい周波数に対応するユーザ入力を受信することとをさらに含む請求項１の方法。
【請求項３】
前記少なくとも１つの候補周波数を順位付けすること(ranking)と、
前記順位(ranking)に基づいて、有効出力周波数のリストを表示することとをさらに含む請求項１の方法。
【請求項４】
前記少なくとも１つの候補周波数を順位付けすることは、
割り当て周波数への前記少なくとも１つの候補周波数のそれぞれのスペクトルの距離を判断することを含む請求項３の方法。
【請求項５】
前記少なくとも１つの候補周波数を順位付けすることは、
地理的な目標への経路を判断することと、
前記経路から選択された少なくとも１つの追加の地理的位置に基づいて順位を判断することとを含む請求項３の方法。
【請求項６】
前記モバイル受信機の最新の地理的位置を判断することと、
前記最新の地理的位置に基づいて候補周波数群の最新のリストを判断することとをさらに含む請求項１の方法。
【請求項７】
前記モバイル受信機の前記地理的位置を判断することは、
多くの衛星測位システム信号を受信することと、
前記衛星測位システム信号に基づいて前記地理的位置を判断することとをさらに含む請求項１の方法。
【請求項８】
前記衛星測位システム信号は、全地球測位システム衛星ビヒクル(vehicle)信号を含む請求項７の方法。
【請求項９】
前記データベースへアクセスすることは、地理上の区域へＦＭ帯域周波数割り当てを関連づけるデータベースにアクセスすることを含む請求項１の方法。
【請求項１０】
前記データベースへアクセスすることは、地理上の区域へ有効ＦＭ帯域周波数群を関連づけるデータベースにアクセスすることを含む請求項１の方法。
【請求項１１】
前記望ましい周波数で変調された情報を提供することは、
前記望ましい周波数に発振器を合わせることと、
周波数変調された無線周波数（ＲＦ）信号を生成するために望ましい周波数へ可聴信号を変調することとを含む請求項１の方法。
【請求項１２】
アンテナポートへ前記周波数変調されたＲＦ信号を連結することをさらに含む請求項１１の方法。
【請求項１３】
地理的な目標へ関係する情報を受信することと、
受信された全地球測位システム（ＧＰＳ）衛星ビヒクル信号に少なくとも部分的に基づいてパーソナルナビゲーションデバイスの地理的位置を判断することと、
前記地理的位置から前記地理的目標への経路を判断することと、
前記地理的位置に基づいて少なくとも１つの候補無線周波数を判断することと、
前記少なくとも１つの候補無線周波数に基づいて出力ＲＦ周波数のユーザ選択を受信することと、
前記地理的位置および前記経路に基づいて可聴信号を生成することと、
周波数変調された出力ＲＦ周波数を生成するために前記出力周波数へ可聴信号を変調することと、
前記周波数変調された出力ＲＦ周波数を出力することとを含む、出力周波数を判断する方法。
【請求項１４】
前記パーソナルナビゲーションデバイスの最新の地理的位置を判断することと、
前記最新の地理的位置に基づいて候補周波数群の最新のリストを判断することとをさらに含む請求項１３の方法。
【請求項１５】
前記ユーザ選択に基づいて前記出力ＲＦ周波数へプログラマブル(programmable)周波数発振器を合わせることをさらに含む請求項１３の方法。
【請求項１６】
最新の基準(update criteria)が満たされるかどうかを判断することと、
前記最新の基準が満たされる場合に候補周波数群の前記最新のリストの少なくとも一部分を表示することと、
最新の出力ＲＦ周波数を選択するようにユーザに指示することとをさらに含む請求項１４の方法。
【請求項１７】
前記少なくとも１つの候補周波数を順位付けすることと、
前記順位に基づいて少なくとも１つの有効周波数を表示することとをさらに含む請求項１３の方法。
【請求項１８】
少なくとも１つの候補無線周波数を判断することは、許可されたＦＭ無線通信帯域中の少なくとも１つの候補周波数を判断することを含む請求項１３の方法。
【請求項１９】
前記可聴信号を生成することは、音声ナビゲーション(audio navigation)命令を生成することを含む請求項１３の方法。
【請求項２０】
前記周波数変調された出力ＲＦ周波数を出力することは、アンテナポートへ前記周波数変調された出力ＲＦ周波数を連結することを含む請求項１３の方法。
【請求項２１】
少なくとも１つの有効出力ＲＦ周波数を自動的に判断するように構成される装置であって、
多くの衛星測位信号群を受信し、かつ前記装置の地理的位置を判断するように構成される衛星測位受信機と、
地理上の区域へ出力周波数群を関連づける情報を格納するように構成される放送データベースと、
前記放送データベースにアクセスし、かつ前記地理的位置に基づいて少なくとも１つの候補周波数を判断するように構成されるプロセッサと、
変調された出力周波数を生成するために前記少なくとも１つの候補周波数から選択された出力周波数へ情報信号を変調するように構成される変調器と、
前記変調された出力周波数を送信するように構成される送信機とを含む装置。
【請求項２２】
前記候補周波数群の少なくとも１つのサブセット(subset)を確認する情報を表示するように構成されるディスプレイをさらに含む請求項２１の装置。
【請求項２３】
前記出力周波数に対応するユーザ目標およびユーザ選択を受信するように構成されるユーザインタフェースをさらに含むこと請求項２１の装置。
【請求項２４】
地図データベースをさらに含み、
前記プロセッサは、前記地理的位置および前記ユーザ目標に基づいて経路を判断するようにさらに構成される請求項２３の装置。
【請求項２５】
前記地理的位置に基づいて音声情報を生成するように構成される音声シンセサイザをさらに含み、
前記変調器は、前記出力周波数へ音声情報を周波数変調するようにさらに構成される請求項２１の装置。
【請求項２６】
前記放送データベースは、地理上の区域への許可されたＦＭ帯域での放送割り当てに関連する情報を格納するように構成される請求項２１の装置。
【請求項２７】
前記放送データベースは、地理上の区域への許可されたＦＭ帯域での割り当てられていない周波数に関連する情報を格納するように構成される請求項２１の装置。
【請求項２８】
前記変調器は、前記出力周波数へ音声情報を周波数変調するように構成される請求項２１の装置。
【請求項２９】
前記衛星測位受信機は、最新の地理的位置を判断するように構成され、
前記プロセッサは、前記放送データベースにアクセスし、かつ前記最新の地理的位置に基づいて少なくとも１つの最新の候補周波数を判断するように構成され、
前記ディスプレイは、前記少なくとも１つの最新の候補周波数に基づいて最新の出力周波数に関してユーザに指示するように構成される請求項２１の装置。
【請求項３０】
地理的な目標へ関係する情報を受信するための手段と、
受信された全地球測位システム（ＧＰＳ）衛星ビヒクル信号に少なくとも部分的に基づいてパーソナルナビゲーションデバイスの地理的位置を判断するための手段と、
前記地理的位置から地理的な目標への経路を判断するための手段と
前記地理的位置に基づいて少なくとも１つの候補無線周波数を判断するための手段と、
前記少なくとも１つの候補無線周波数に基づいて出力ＲＦ周波数のユーザ選択を受信するための手段と、
前記地理的位置および前記経路に基づいて可聴信号を生成するための手段と、
周波数変調された出力ＲＦ周波数を生成するために前記出力周波数へ可聴信号を変調するための手段と、
前記周波数変調された出力ＲＦ周波数を出力するための手段とを含む、少なくとも１つの有効出力ＲＦ周波数を自動的に判断するように構成される装置。
【請求項３１】
地理的な目標へ関係する情報を受信することと、
受信された全地球測位システム(GPS)衛星ビヒクル信号に少なくとも部分的に基づいてパーソナルナビゲーションデバイスの地理的位置を判断することと、
前記地理的位置から地理的な目標への経路を判断することと、
前記地理的位置に基づいて少なくとも１つの候補無線周波数を判断することと、
前記少なくとも１つの候補無線周波数に基づいて出力ＲＦ周波数のユーザ選択を受信することと、
前記地理的位置および経路に基づいて可聴信号を生成することと、
周波数変調された出力ＲＦ周波数を生成するために前記出力周波数へ可聴信号を変調するために変調器を制御することと、
前記周波数変調された出力ＲＦ周波数を出力するように構成される送信機を制御することとのためのコンピュータ実行命令でコード化されたコンピュータ読取可能媒体。
【発明の詳細な説明】
【技術分野】
【０００１】
その発明は無線通信に関する。特に、その発明はＦＭ受信機とワイヤレス信号を接続することに関する。
【背景技術】
【０００２】
電子機器は、ユーザが選択するかもしれない多数の出力能力(output capabilities)を含むかもしれない。例えば、電子機器は、ディスプレイによる視覚的な出力、スピーカによる音声出力、無線出力あるいはそれのある組合せを提供するかもしれない。電子機器は、テレビ搬送波で視覚的な出力を変調するか、周波数変調（ＦＭ）無線搬送波のような無線搬送波で音声出力を変調することによりワイヤレス出力を提供するかもしれない。
【０００３】
典型的には、電子機器は出力ＲＦ帯域を監視しないが、１組の一定の選択から所望出力帯域を選ぶためにユーザに依存する。例えば、電子機器は、ＮＴＳＣテレビチャンネル３または４のうちの１つでＲＦ映像出力を許可するかもしれない。ユーザは、望ましいテレビ用の電子装置を構成することができ、そして、変調された映像信号を受信するために対応するチャネルにローカルテレビ放送を合わせることができる。
【０００４】
同様に、電子機器は、１つあるいは２つの所定のＦＭチャネルでＲＦ音声出力を許可するかもしれない。ユーザは望ましいＦＭチャネルを選択することができ、また、電子機器は、選択されたＦＭチャネルの搬送波で可聴信号を変調することができる。ユーザは、変調された音声を受信するために対応する周波数に地方放送受信機(local radio receiver)を合わせることができる。
【０００５】
しかしながら、既存の放送局(broadcasters)は、所望の出力帯域を既に使用しているかもしれない。ＮＴＳＣビデオの場合には、既存の地方の放送局が、チャネル２および３の一方または両方で既に放送しているかもしれない。同様に、既存の地方のＦＭラジオ放送局は、既に無線出力周波数の固定された選択で放送しているかもしれない。既存の放送局は、干渉源として電子装置に現われ、また、その存在は、電子機器からの信号品質を著しく下げるかもしれない。ユーザは、既存の放送局が固定のＲＦ出力選択の全部のためのスペクトルを占める状況での電子装置からのＲＦ変調出力信号をうまく構成する能力を有さないかもしれない。
【０００６】
携帯電子装置にＲＦ出力能力を組み入れることは、追加設定をもたらす(pose)。携帯電子装置の移動性は、操作環境をさらに複雑にし、そして、選択されたＲＦ出力周波数以上の妨害信号を放送局が送信する確率を増加させる。携帯電子装置は、最初に放送地域の外部であるかもしれないが、放送地域へ移動するかもしれない。したがって、選択されたＲＦ出力周波数は、十分な信号品質を最初に提供するかもしれないが、信号品質は、選択されたＲＦ出力周波数で放送局を有するエリアへ携帯電子装置が移動するとともに、承諾し難いレベルに低下するかもしれない。
【発明の概要】
【０００７】
ワイヤレスデバイスからのＦＭ変調出力信号と接続するための有効(available)ＦＭ周波数チャネルを判断する方法と装置は、ここに記述される。ＧＰＳ受信機のようなＳＰＳ受信機は、従来の技術に基づいて、その位置を判断することができる。ＳＰＳ受信機は、音声出力が送信されるかもしれない１つ以上の有効ＦＭチャネルを判断することができる。ＳＰＳ受信機は、有効チャネルのローカルデータベースにアクセスする判断された位置を使用することができる。あるいは、ＳＰＳ受信機は、１つ以上の有効チャネル群を判断するために割り付けられたチャネルのローカルデータベースにアクセスするために、判断された位置を使用することができる。ＳＰＳ受信機は、出力音声が変調されるＦＭチャネルを示すプロンプトかメッセージを表示するかもしれない。
【０００８】
発明の態様は、出力周波数を判断する方法を含む。その方法は、モバイル受信機の地理的位置を判断することと、地理的位置に基づいて少なくとも１つの候補(candidate)周波数を判断するためにデータベースにアクセスすることと、少なくとも１つの候補周波数から選択された望ましい周波数で変調された情報を提供することと含む。
【０００９】
発明の態様は、出力周波数を判断する方法を含む。その方法は、地理的な目標へ関係する情報を受信することと、受信された全地球測位システム(GPS)衛星ビヒクル信号に少なくとも部分的に基づいてパーソナルナビゲーションデバイスの地理的位置を判断することと、前記地理的位置から前記地理的目標への経路を判断することと、前記地理的位置に基づいて少なくとも１つの候補無線周波数を判断することと、前記少なくとも１つの候補無線周波数に基づいて出力ＲＦ周波数のユーザ選択を受信することと、前記地理的位置および前記経路に基づいて可聴信号を生成することと、周波数変調されたＲＦ周波数を生成するために前記出力周波数へ可聴信号を変調することと、前記周波数変調された出力ＲＦ周波数を出力することとを含む。
【００１０】
発明の態様は、少なくとも１つの有効出力ＲＦ周波数を自動的に判断するように構成される装置を含む。その装置は、多くの衛星測位信号群を受信し、かつ前記装置の地理的位置を判断するように構成される衛星測位受信機と、地理上の区域へ出力周波数群を関連づける情報を格納するように構成される放送(broadcast)データベースと、前記放送データベースにアクセスし、かつ前記地理的位置に基づいて少なくとも１つの候補周波数を判断するように構成されるプロセッサと、変調された出力周波数を生成するために前記少なくとも１つの候補周波数から選択された出力周波数へ情報信号を変調するように構成される変調器と、前記変調された出力周波数を送信するように構成される送信機とを含む。
【００１１】
発明の態様は、少なくとも１つの有効出力ＲＦ周波数を自動的に判断するように構成される装置を含む。その装置は、地理的な目標へ関係する情報を受信するための手段と、受信された全地球測位システム（ＧＰＳ）衛星ビヒクル信号に少なくとも部分的に基づいてパーソナルナビゲーションデバイスの地理的位置を判断するための手段と、前記地理的位置から地理的な目標への経路を判断するための手段と、前記地理的位置に基づいて少なくとも１つの候補無線周波数を判断するための手段と、前記少なくとも１つの候補無線周波数に基づいて出力ＲＦ周波数のユーザ選択を受信するための手段と、前記地理的位置および前記経路に基づいて可聴信号を生成するための手段と、周波数変調されたＲＦ周波数を生成するために前記出力周波数へ可聴信号を変調するための手段と、前記周波数変調された出力ＲＦ周波数を出力するための手段を含む。
【００１２】
発明の態様は、地理的な目標へ関係する情報を受信することと、受信された全地球測位システム（ＧＰＳ）衛星ビヒクル信号に少なくとも部分的に基づいてパーソナルナビゲーションデバイスの地理的位置を判断することと、前記地理的位置から地理的な目標への経路を判断することと、前記地理的位置に基づいて少なくとも１つの候補無線周波数を判断することと、前記少なくとも１つの候補無線周波数に基づいて出力ＲＦ周波数のユーザ選択を受信することと、前記地理的位置および経路に基づいて可聴信号を生成することと、周波数変調されたＲＦ周波数を生成するために前記出力周波数へ可聴信号を変調するために変調器を制御することと、前記周波数変調された出力ＲＦ周波数を出力するように構成される送信機を制御することとのためのコンピュータ実行命令でコード化されたコンピュータ読取可能媒体を含む。
【図面の簡単な説明】
【００１３】
本件開示の実施形態の特徴、対象および利点は、図に関連して取り上げられるとき、以下の詳細な説明からより明白になるだろう。なお、図において、類似のエレメントは類似の参照数字を有している。
【図１】図１は、ＳＰＳ受信機環境の単純化された機能ブロック図である。
【図２】図２は、ＲＦ変調された出力を支援するＳＰＳ受信機の実施例の単純化された機能ブロック図である。
【図３】図３は、位置に基づいてＦＭチャネル可用性を自動的に判断する実施例の単純化された機能フローチャートである。
【発明を実施するための形態】
【００１４】
パーソナルナビゲーションデバイスは、使用の間に広い地理的位置を横切る(traverse)と予想することができる自然(nature)ポータブルデバイスによる。ポータブルナビゲーションデバイスは、ＦＭ送信機によるデバイスからＦＭ受信機に音声を出力するオプションを支援するかもしれない。ＦＭ受信機は例えばＦＭカー・ステレオになりえる。ユーザは、例えば、旅行の間にナビゲーション支援を提供するためにパーソナルナビゲーションデバイスからの音声出力を使用するかもしれない。
【００１５】
ＦＭステレオで行なう(play)音声出力に関して、ユーザは、パーソナルナビゲーションデバイスに支援される１つ以上の異なる周波数にＦＭステレオを合わせて、どの周波数帯域かチャネルが有効かを判断する。一旦その判断が終われば、ユーザは、望ましい周波数へのパーソナルナビゲーションデバイスでＦＭ送信機周波数を設定する。
【００１６】
上記のアプローチに関する１つの問題は、周波数選択が手動で、エラーの傾向があるということである。ユーザは、別の周波数を選択したユーザを有効に有したであろう、有効だった信号品質を提供しない周波数を、望ましい周波数として誤って選択するかもしれない。さらに、上に注記されるように、ＦＭ周波数割り当て（自由かつ占有された周波数を含む）は、ある場所から別の場所に変わることができるので、音声出力は、ユーザがある地理的場所から別の場所へ運転しているか、そうでなければ旅行している間、低下するかもしれない。
【００１７】
ＦＭ帯域の中のＲＦ出力リンクの確立および維持に関連した問題のうちのいくつかを緩和するために、パーソナルナビゲーションデバイスは、ナビゲーション装置の中で可能にされた位置特定技術(position location techniques)を使用することで、その場所を判断し、かつ、１つ以上の候補ＦＭ周波数を判断するように構成することができる。１つ以上の候補周波数群は場所に部分的に基づいた判断かもしれず、場所に関連した、割り付けられたあるいは自由なＦＭ帯域のデータベースに部分的に基づくことができる。
【００１８】
パーソナルナビゲーションデバイスは、音声を出力するために選択されるかもしれない１つ以上の有効ＦＭ帯域を自動的に判断する。自動化された(automated)出力帯域検波特性は、ユーザが有効周波数帯域を走査する必要を除去する。ＦＭデータベースおよび場所情報(location information)を使用すると、パーソナルナビゲーションデバイスは、その現在の場所のトラックおよび有効帯域をその場所に対応するようにしておくことができる。パーソナルナビゲーションデバイスは、場所を更新するように構成することができ、よりよいＦＭ周波数が有効なときに、判断するための最新の場所(updated location)を利用することができる。パーソナルナビゲーションデバイスは、新しい帯域にＦＭ受信機周波数を合わせるようにユーザに促す(prompt)ことができる。ユーザは、ディスプレイおよび／または、デバイス上の、あるいはＦＭ電波による音声アラート(audio alert)によって促されることができる。
【００１９】
図１は、受信機環境１００の単純化された機能ブロック図である。受信機環境１００は、ＲＦ出力能力を有する衛星測位システム（ＳＰＳ）受信機１１０を例証する。ＳＰＳ受信機１１０は、多くの衛星ビヒクル(vehicle)１３０−１から１３０−Ｎまでから受信した信号に基づいて、その地理的位置を判断するように構成することができる。２つの衛星ビヒクル１３０−１および１３０ｎだけが図１に示されるが、ＳＰＳ受信機１１０は、明白な位置測定(fix)の状態にするために典型的には４つの衛星ビヒクルからの信号を要求する。
【００２０】
ＳＰＳ受信機１１０は、例えば全地球測位システム（ＧＰＳ）受信機でありえ、GLONASS、ガリレオなどを含むがこれに限られない他のあるタイプを含む衛星測位システムからの衛星測位信号を利用するように構成することができる。さらに、ＳＰＳ受信機１１０は、衛星信号に排他的に基づいて位置測定(fix)を判断することに制限されていないが、１つ以上の地球上のビーコン１５０からの測位信号(positioning signal)をさらに利用するかもしれない。地球上のビーコン１５０は、例えば微分の(differential)ＧＰＳビーコン、セードライト(pseudolite)、無線電話基地局などでありえる。
【００２１】
ＳＰＳ受信機１１０は、出力情報で変調されるＲＦ出力信号を送信するように構成することができる。例えば、ＲＦ出力信号は、ディスプレイ情報、音声情報、測位データあるいはそれのある組合せなどで変調することができる。ＳＰＳ受信機１１０は、共通の通信規格によってサポートされた変調スキームおよび搬送周波数を使用してＲＦ出力信号を生成するように構成することができる。大多数の放送局が許可されるかそうでなければ知られている場合、ＳＰＳ受信機１１０からのＲＦ出力は許可された無線通信帯域内にある場合があり、そして、許可されていない送信機からのエミッションは、変調されたＲＦ出力に干渉する、ありそうもない先端部(unlikely top)である。
【００２２】
例えば、ＳＰＳ受信機１１０は、88MHz-108MHzの許可されたＦＭ電波帯域内の搬送波で音声出力信号をＦＭ変調するように構成することができる。別の実施例では、ＳＰＳ受信機１１０は、映像搬送波で映像ディスプレイ情報を変調するように構成することができる。例えば、ＳＰＳ受信機１１０は、ＮＴＳＣテレビ搬送周波数で映像信号としてディスプレイ情報を残留側波帯(Vestigial Sideband)変調するように構成することができる。
【００２３】
ＳＰＳ受信機１１０からの変調されたＲＦ出力信号は、処理および出力のためのワイヤレス受信機１２０によって受信されることができる。例えば、ＦＭ変調された可聴信号は、ＦＭ受信機によって受信することができ、それはカー・ステレオか携帯型無線受信機でありえる。
【００２４】
無線出力リンクは、ＳＰＳ受信機１１０がパーソナルナビゲーションデバイスとして形成されてユーザが目標へのユーザをナビゲーションするのを支援するように構成される状況で特に有利になりえる。一例において、ＳＰＳ受信機１１０は、ユーザによって所定の目標入力に基づいて順を追った運転方向(driving directions)を出力するように構成することができる。ユーザは、ＦＭ帯域の中の音声を出力するためにＳＰＳ受信機１１０を構成することができ、変調された音声出力を受信するために自動車中のＦＭ受信機を合わせることができる。ＳＰＳ受信機１１０からの音声出力はＦＭ受信機によって回復することができ、そして、カーオーディオシステムから出力することができる。
【００２５】
ＳＰＳ受信機１１０は、許可された帯域内の搬送波の固定選択を伴うＳＰＳ受信機１１０をあらかじめ構成するか、あるいは有効帯域のためのユーザ捜索をする、およびＳＰＳ受信機１１０へ選択された帯域をプログラムする代わりに、許可された帯域の有効帯域を自動的に判断するように構成することができる。許可された帯域としてのＦＭ電波帯域の例では、ＳＰＳ受信機１１０は、ＳＰＳ受信機１１０の地理的位置、および地理的位置に関連した有効または割り当てられた周波数のデータベースに少なくとも部分的に基づいて１つ以上の有効ＦＭ帯域のセットを判断することができる。ＳＰＳ受信機１１０は、有効出力周波数帯のセットを表示することができ、かつ、順位付けされた順(ranked order)に有効出力周波数帯のセットを表示するように構成することができる。ユーザは、有効出力周波数のセットから有効出力周波数のうちの１つを選ぶことができ、また、ＳＰＳ受信機１１０は、選択された周波数のためのＲＦ出力を構成することができる。ユーザは、出力信号を受信する目的で選択された周波数と同じ周波数にワイヤレス受信機１２０を合わせることができる。
【００２６】
図２は、ＲＦ変調された出力をサポートするＳＰＳ受信機１１０の実施例の単純化された機能ブロック図である。ＳＰＳ受信機１１０は、ＧＰＳ受信機のコンテキスト(context)に記述されるが、ＳＰＳ受信機１１０は処理ＧＰＳ信号(processing GPS signals)に制限されない。
【００２７】
ＳＰＳ受信機１１０は、例えば、図１の受信機環境中で示されるＳＰＳ受信機になりえる。ＳＰＳ受信機１１０は、ＳＰＳ受信機１１０の地理的位置に少なくとも部分的に基づいて１つ以上の有効出力ＲＦ周波数を自動的に判断するように構成することができる。
【００２８】
ＳＰＳ受信機１１０は、メモリ２２２に連結されたプロセッサ２２０と共に作動するように構成されるＧＰＳ受信機２１０に連結されたＳＰＳアンテナ２０２を含む。ＧＰＳ受信機２１０は、多くのＧＰＳ衛星ビヒクル信号を受信してＳＰＳ受信機１１０の位置測定(fix)か地理的位置を判断するように構成することができる。典型的には、ＧＰＳ受信機２１０は、明白な位置測定(fix)の状態にするために４つの衛星ビヒクルからの信号を要求する。ＧＰＳ受信機が位置測定(fix)を判断することができる方法は有名である。一般に、ＧＰＳ受信機２１０は、衛星ヒビクルのそれぞれからのＰＮエンコード信号を受信し、また、天文暦(ephemeris)データによって修正されるような衛星位置情報の暦(almanac)に基づいて各衛星への擬似(pseudo)距離を判断する。３つの別個の衛星ビヒクルへの擬似範囲(pseudoranges)は、三次元位置決めをさせるのに一般的に十分であり、その精度はタイミングまたはクロックの不確定性によって影響される。第４の衛星ビヒクルへの擬似範囲は、クロック不確定性を解決するかそうでなければ洗練するために使用することができる。
【００２９】
ＳＰＳ受信機１１０は、例えば、ユーザ入力目標へのガイドされた運転方向を可能にするパーソナルナビゲーションデバイスとして形成することができる。ＳＰＳ受信機１１０は、ユーザ入力を受諾するように構成されるユーザインタフェース２４０を含むことができる。ユーザインタフェース２４０は、ボタン、キーパッド、スクロールホイール、タッチパッド、音声認識モジュール、電気的ポートなど、あるいはそれのある組合せを含むことができる。いくつかの実施例では、ユーザインタフェース２４０はディスプレイ２４２のような出力装置に統合される。
【００３０】
ディスプレイ２４２は、ガイドされた指示の図形表現あるいはエリアの地図を出力するように構成することができ、命令、プロンプトあるいはメニューのような他のユーザ情報を出力するように構成することができる。いくつかの実施(implementation)では、ディスプレイ２４２はタッチスクリーンになりえて、ユーザインタフェース２４０の一部としての機能をさらに果たすことができる。
【００３１】
ＳＰＳ受信機１１０は、例えば１つ以上の記憶デバイスに格納された地図情報として、構成することができる地図データベース２３０をさらに含むことができる。ユーザは、例えば、ユーザインタフェース２４０の一部である電子ポート(electronic port)を介して最新のデータベース情報をダウンロードすることにより、地図データベース２３０を更新することができる。
【００３２】
プロセッサ２２０は、ユーザインタフェース２４０によって提供されるユーザ目標を受信することができ、ＧＰＳ受信機２１０からのＳＰＳ受信機１１０の地理的位置を判断し、現在の地理的位置からユーザ目標への経路を判断するために地図データベース２３０にアクセスすることができる。プロセッサ２２０は、ＧＰＳ受信機２１０からの位置最新版(position updates)に基づいて経路を更新することができる。
【００３３】
プロセッサ２２０は、ユーザに目標の視覚的ガイド(visual guide)を提供するためにディスプレイ２４２上の地図および経路情報を出力することができる。さらに、ＳＰＳ受信機２６０は、合成された音声出力のような音声出力を提供するように構成することができる、音声シンセサイザ２６０を含むことができる。音声シンセサイザ２６０からの音声出力は、ディスプレイ２４２上の視覚的情報出力を増大する(augment)音声ナビゲーション情報を含むことができる。
【００３４】
ＳＰＳ受信機１１０は、音声シンセサイザ２６０に連結されて音声出力を受信するように構成される周波数プログラマブル(programmable)ＦＭ変調器２７０をさらに含むことができる。周波数プログラマブルＦＭ変調器２７０は、88MHz-108MHzの許可されたＦＭ帯域の内で動作するようにプログラムされることができる。１つの実施例では、周波数プログラマブルＦＭ変調器２７０は、ＦＭ帯域の内の任意の動作周波数にプログラムされることができる。周波数プログラマブルＦＭ変調器２７０の搬送周波数は、ＦＭ帯域の中の周波数間隔と協調するための、100kHzのプログラム可能な分解能を持つように構成することができる。
【００３５】
周波数プログラマブルＦＭ変調器２７０は、プログラム化した(programmed)搬送周波数で音声出力を変調し、ＦＭ送信機２７２に変調した搬送周波数を出力する。ＦＭ送信機２７２は信号を増幅し、ＲＦアンテナ２７４と連動して信号を送信する。あるいは、ＦＭ送信機２７２は、カー・ステレオのようなユーザ音声装置のアンテナ入力に信号を合わせることができる、配線された(wired)アンテナポートに信号を連結することができる。理想的には、プログラマブルＦＭ変調器２７０は、プログラム化された搬送波で許可された放送局、隣接チャネル上の放送局あるいは他の干渉源からのような、干渉信号の本質的に欠けている搬送周波数で動作するようにプログラムされる。
【００３６】
ＳＰＳ受信機１１０は、音声出力が変調される低い干渉ＲＦ搬送波のユーザ選択を促進するための知的な支援(intelligent assistance)を含む。ＳＰＳ受信機１１０はＦＭ放送データベース(FM broadcast database)２５０を含むことができる。ＦＭ放送データベースは、ＦＭ帯域の内のすべての許可された放送局の周波数割り当てを含むことができ、許可された放送局を地理上の区域へ関連づけることができる。ＦＭ放送データベースは、製造者(manufacturer)に最初に読み出されることができ、地図データベースを更新することに類似したやり方で最新のデータベースをダウンロードすることにより更新されるかもしれない。ＳＰＳ受信機１１０は、１つ以上の候補周波数群のリストを判断するためにＧＰＳ受信機２１０によって提供される現在の地理的位置を利用することができる。
【００３７】
１つの実施例では、ＳＰＳ受信機１１０は、場所を包含する受信可能範囲(coverage area)内の許可された放送局のリストへのＧＰＳ受信機２１０によって判断されたつい最近の地理的位置を比較する。ＳＰＳ受信機１１０は、放送局が地理上の区域で割り付けられないＲＦ搬送波を選択することができる。
【００３８】
ＳＰＳ受信機１１０は制限を促進する、あるいは１つ以上のパラメータまたは基準をフィルタリングすることに基づいてＲＦ搬送波を順位付けする(rank)ことができる。フィルタする基準は、例えば、許可された放送局へのＲＦ搬送波のスペクトルの近接、ＧＰＳ受信機２１０、所定周波数選択(preference)（例えばより低い帯域周波数か上層帯域周波数への選択）などあるいはそれらのある組合せからの地理的位置への許可された放送局の送信機場所の物理的近接を含むことができる。
【００３９】
ＳＰＳ受信機１１０は、ユーザ入力目標あるいはさらに基準をフィルタするとして目標に沿った１以上のポイントをさらに利用することができる。すなわち、ＳＰＳ受信機１１０は、ユーザ目標への予期される経路に沿った１以上のポイントに関して、ＲＦ搬送波の選択されたリストの好ましさ(desirability)を除去するべきかそうでなければ縮小するべきであるかを判断することができる。
【００４０】
ＳＰＳ受信機１１０は、ユーザへのディスプレイのために候補周波数群の所定個数を選択するように構成することができる。例えば、ＳＰＳ受信機１１０は、フィルタする基準の出願に続く最も高い順位をもつ２つの周波数を選択するかもしれない。ＳＰＳ受信機１１０は、例えば、ユーザ選択のためのプロンプトと共に候補周波数群を表示することができる。
【００４１】
ＳＰＳ受信機１１０はユーザインタフェース２４０によってユーザ選択を受諾することができる。ＳＰＳ受信機１１０は、選択された周波数へＦＭ変調器２７０の周波数をプログラムする。
【００４２】
他の実施例では、ＦＭ放送データベース２５０は、有効周波数およびそれらの関連する可用性エリアのリストを格納するように構成することができる。ＳＰＳ受信機１１０は、ＧＰＳ受信機２１０から、その地理的位置を判断することができ、そして、地理上の区域を包含する有効ＲＦ周波数のリストを判断するためにＦＭ放送データベース２５０にアクセスすることができる。ＳＰＳ受信機１１０は、初期の実施例に記述された基準と同じまたは似ている基準を使用して、同様に結果を順位付けするまたはフィルタすることができる。ＳＰＳ受信機１１０は、順位付けされた(ranked)結果を表示し、前の実施例でのようなユーザ選択を受諾することができる。
【００４３】
いくつかの例(instances)では、選択された周波数は、現在の場所からユーザ目標への全ての経路のための満足な可聴信号品質をサポートしないかもしれない。信号品質中の悪化、例えば、選択されたＦＭ周波数で許可された放送局を有するエリアへ移動するＳＰＳ受信機１１０によって生じる場合がある。全ての経路をサポートする単一の周波数のための不能(inability)は、いくつもの理由によるかもしれない。例えば、旅慣れた(traveled)経路は、全ての経路のために単一の割り当てられていない周波数を選択することを不可能にして、著しい距離を横切る(traverse)かもしれない。ユーザは、もとは計画された経路からそれるかもしれない。ＳＰＳ受信機１１０は、周波数を判断することにおける提案された経路を考慮に入れてはならず、また、ユーザは、全ての経路に有効でない周波数を選択するかもしれない。
【００４４】
理由にかかわらず、現在アクティブなＦＭ搬送波は、高い可聴信号品質をサポートすることができない場合があるかもしれない。そのような例では、ＳＰＳ受信機１１０は、候補周波数群のリストを判断し直し、最新の選択をするようにユーザに促すことができる。
【００４５】
１つの実施例では、ＳＰＳ受信機１１０は、候補周波数群のリストが更新されることを要求するユーザ入力を受信することができる。別の実施例では、ＳＰＳ受信機１１０は、自動化された(automated)パラメータに基づいて有効周波数のリストを自動的に更新するように構成することができる。例えば、ＳＰＳ受信機１１０は、ＧＰＳ受信機２１０が最新の地理的位置を提供するたびに、または最新の地理的位置から判断された要因に基づいて有効周波数のリストを更新することができる。あるいは、ＳＰＳ受信機１１０は、地理的位置の変更がある所定のしきい値を越える場合は、有効周波数のリストを更新するかもしれない。一般に、ＳＰＳ受信機１１０は、時間の経過に基づいて有効周波数のリスト、イベントの発生あるいはそれらのある組合せを更新することができる。
【００４６】
ＳＰＳ受信機１１０は、候補周波数群のリストが現在アクティブな周波数選択を含むことをしないたびに、最新の搬送周波数選択をするようにユーザに促す必要はない。代わりに、ＳＰＳ受信機１１０は、現在アクティブな周波数選択が異なる搬送周波数によって支援されることができた可聴信号品質に関する低下した信号品質を提供することを暗に(impliedly)判断するかもしれない。ＳＰＳ受信機１１０は、候補周波数群の最新のリストを表示して最新の選択をユーザに促す促すべきであるかどうか判断するいくつもの要因も使用することができる。例えば、もしも、現在のアクティブな周波数選択がＳＰＳ受信機１１０の地理的位置を包含するリージョン内の放送局に割り付けられることをそれが決定しなければ、ＳＰＳ受信機１１０は最新の候補周波数群を表示してはならない。あるいは、現在のアクティブな周波数の順位が、ある所定量によって候補周波数群の順位以下に落ちる場合、ＳＰＳ受信機１１０は最新の候補周波数群を表示するかもしれない。ＳＰＳ受信機１１０は、他の要因あるいは最新の候補周波数群を表示し最新の選択のためのユーザを刺激するべきであるかどうか判断する要因の組合せを使用するかもしれない。
【００４７】
ＳＰＳ受信機１１０は、音声出力のために搬送周波数を選択または更新する際にユーザに知的な支援を供給することができる。ユーザは、適切な出力周波数のために手動でＦＭ帯域を探索して、ＳＰＳ受信機１１０へ周波数をプログラムするための使いにくい(cumbersome)ルーチンから解放される。ユーザは、１あるいは２の固定された出力周波数選択に制限した限定的な実施(implementation)から解放される。
【００４８】
図３は、位置に基づいてＦＭチャネル可用性を自動的に判断する方法３００の実施例の単純化された機能フローチャートである。方法３００は、例えば、図１の環境中で動作するパーソナルナビゲーションデバイスのようなＳＰＳ受信機の中で実現されることができる。例えば、その方法は、メモリのような、読取可能な記憶媒体をコンピュータあるいはプロセッサ中へエンコードされたコンピュータまたはプロセッサの実行命令として具体化されることができる。
【００４９】
方法３００は、GPSを使用して、88MHz-108MHzの許可されたＦＭ帯域の中のＲＦリンクを判断することで、位置特定(position location)のコンテキストに記述される。一般に、位置測定(fix)はＧＰＳ位置測定に制限されず、そして、ＦＭ帯域に制限のある、出力されたＲＦリンクではない。
【００５０】
方法３００はブロック３１０で開始し、そこでは、パーソナルナビゲーションデバイスは多くのＧＰＳ衛星ビヒクルからＧＰＳ信号を受信する。パーソナルナビゲーションデバイスはブロック３１２に進み、ＧＰＳ信号に基づいてパーソナルナビゲーションデバイスの地理的位置を判断する。
【００５１】
パーソナルナビゲーションデバイスは判定ブロック３２０に進み、ＲＦ搬送波で変調された音声出力ＦＭのようなＲＦ出力がユーザによって選択されているかそうでなければ可能になるかどうか判断する。そうでなければ、パーソナルナビゲーションデバイスは、それが音声を生成するところで、ブロック３９０に進む。例えば、パーソナルナビゲーションデバイスはブロック３９０からブロック３９２に進み、スピーカを使用して、例えば音声を出力する。パーソナルナビゲーションデバイスは位置測定を更新するためにブロック３１０に戻る。
【００５２】
判定ブロック３２０で、パーソナルナビゲーションデバイスが、ＲＦ出力が可能にされたと判断する場合、パーソナルナビゲーションデバイスは判定ブロック３２２に進む。判定ブロック３２２では、パーソナルナビゲーションデバイスは、ＲＦ周波数の初期設定が以前に完完したかどうか判断する。そうならば、パーソナルナビゲーションデバイスは、候補ＲＦ周波数の最新版が望まれるかどうか判断するために、判定ブロック３２４に進む。判定ブロック３２２で、パーソナルナビゲーションデバイスが、初期設定がまだ行なわれていないと判断する場合、パーソナルナビゲーションデバイスは、候補周波数群を確認する過程を開始するためにブロック３３０に進む。同様に、判定ブロック３２４で、パーソナルナビゲーションデバイスが候補周波数群を更新するためのパラメータが合わせられたと判断する場合、パーソナルナビゲーションデバイスはブロック３３０に進む。
【００５３】
判定ブロック３２４で、パーソナルナビゲーションデバイスが候補周波数群を更新するためのパラメータに合わせられないと判断する場合、候補周波数群の処理を行なう必要はない。パーソナルナビゲーションデバイスは候補周波数処理を回避して、ブロック３７０に移る。
【００５４】
ブロック３３０では、パーソナルナビゲーションデバイスは、パーソナルナビゲーションデバイスの地理的位置に少なくとも部分的に基づいて候補ＦＭ周波数のリストを判断する。１つの実施例では、パーソナルナビゲーションデバイスは、許可されたＦＭ帯域放送局の周波数を確認して地理上の区域へ放送局を関連づける、割り当て周波数のデータベースを検査する。パーソナルナビゲーションデバイスは、パーソナルナビゲーションデバイスの現在の地理的位置が、ＧＰＳ受信機によって判断されたとともに、放送局の地理上の区域内に位置するかどうか判断する。その後、パーソナルナビゲーションデバイスは、周波数が現在の重要な干渉に対して十分な信号強度をもつ放送局を有するのに割り当てられていないか、あるいはそうでなければありそうもないか判断することができる。パーソナルナビゲーションデバイスは、多くの基準に基づいて候補周波数群のリストを順位付けする(rank)ことができる。
【００５５】
パーソナルナビゲーションデバイスは、候補周波数群の表示の要因に合わせられるかどうか判断するために、判定ブロック３４０に移る。例えば、候補周波数群のリストを更新するための基準は、所定のしきい値より大きな地理的位置の変更を含むかもしれない。しかしながら、パーソナルナビゲーションデバイスが所定の最新の距離より大きく移動したとしても、ＲＦ出力に使用されたアクティブな周波数を更新する必要はないかもしれない。判定ブロック３４０では、パーソナルナビゲーションデバイスは、候補周波数群の最新のリストが現在のアクティブなＲＦ周波数より優れているかどうか判断する。パーソナルナビゲーションデバイスは、例えば、許可された放送局が現在アクティブなＲＦ周波数に割り当てられて、許可された放送局が重要な干渉におそらく寄与する(contribute)と判断する場合、候補周波数群の最新のリストが現在アクティブなＲＦ周波数よりおそらく優れていると判断することができる。あるいは、パーソナルナビゲーションデバイスは、現在アクティブなＲＦ周波数の順位(ranking)が候補リスト中の他の周波数に関する、ある所定の順位しきい値未満である場合、現在アクティブなＲＦ周波数が低下したと判断することができる。
【００５６】
候補周波数群の最新のリストが現在アクティブなＲＦ周波数よりおそらく優れていないとパーソナルナビゲーションデバイスが判断する場合、パーソナルナビゲーションデバイスはブロック３７０に進み、最新の選択のためのユーザに指示すること(prompting)を省略する。しかしながら、候補周波数群の最新のリストが現在アクティブなＲＦ周波数よりおそらく優れているとパーソナルナビゲーションデバイスが判断する場合、パーソナルナビゲーションデバイスはブロック３５０に進み、候補周波数群のリストあるいは候補周波数群の所定個数を表示する。
【００５７】
例えば、パーソナルナビゲーションデバイスはブロック３５２を開始し、キーパッドまたはボタンのようなユーザインタフェースからユーザ選択を受諾する。ユーザ選択は、表示された候補周波数群のうちの１つを含むことができるか、あるいは現在アクティブなＲＦ周波数の再選択になりえる。現在アクティブなＲＦ周波数の再選択は明白になり、あるいは暗示され(implied)える。暗示された(implied)再選択は、例えば、候補周波数群の表示に続くタイムアウトに基づいて判断されることができる。
【００５８】
パーソナルナビゲーションデバイスはブロック３６０に進み、選択された周波数用のＦＭ変調器を構成するか、そうでなければ設定する。１つの実施例では、パーソナルナビゲーションデバイスは、選択された周波数に基づいて周波数に周波数シンセサイザ(frequency synthesizer)を合わせる。
【００５９】
パーソナルナビゲーションデバイスはブロック３７０に進み、音声出力を生成する。パーソナルナビゲーションデバイスはブロック３７２に進み、選択された周波数で音声を変調する。１つの実施例中で、パーソナルナビゲーションデバイスは、選択された周波数で可聴信号を周波数変調することができる。
【００６０】
パーソナルナビゲーションデバイスはブロック３８０に進み、例えば、変調された信号を増幅して受信機への送信用のアンテナあるいはアンテナポートに信号を連結することにより、ＦＭ変調された信号を無線で送信する。パーソナルナビゲーションデバイスは、次の位置最新版(position update)の処理を開始するためにブロック３１０に進む。
【００６１】
方法と装置は、自動化された(automated)判断のためにここに記述され、変化する干渉源をもつ帯域内の有効ＲＦ出力周波数を促している。パーソナルナビゲーションデバイスのようなＳＰＳ受信機は、受信機の地理的位置に少なくとも部分的に基づいて所定動作帯域内の１つ以上の候補周波数群を判断することができる。受信機は、ＲＦ出力のための候補周波数群のうちの１つを選ぶようにユーザに促すことができる。ＳＰＳ受信機は、受信機変更の地理的位置として候補周波数群のリストを自動的に更新することができる。
【００６２】
本明細書において使用されているように、「連結」（coupled）または「接続」（connected）という用語は、直接的結合または接続のみならず間接的結合をも意味するものとして使われている。２つまたはそれ以上のブロック、モジュール、デバイスまたは装置が連結される場合、その２つの連結ブロックの間に１つまたはそれ以上の介在ブロックがあってもよい。
【００６３】
本明細書において開示された実施形態に関連して説明された様々な例示的な論理ブロック、モジュール、および回路は、汎用目的プロセッサ、デジタル信号プロセッサ(DSP)、簡略化命令コンピュータ(RISC)プロセッサ、特定用途向けIC(ASIC)、フィールドプログラマブルゲートアレイ(FPGA)または他のプログラマブル論理デバイス、ディスクリートゲートまたはトランジスタ論理、ディスクリートハードウェアコンポーネント、または本明細書において説明された機能を達成する設計されたこれらのものの任意の組み合わせによって実装されてもよいし、または行なわれてもよい。汎用目的プロセッサは、マイクロプロセッサであってもよいが、代替的に、同プロセッサは、任意のプロセッサ、コントローラ、マイクロコントローラまたは状態機械であってもよい。プロセッサはまた、計算デバイスの組み合わせとして、例えば、DSPおよびマイクロプロセッサの組み合わせ、複数のマイクロプロセッサ、DSPコアと協同する1つまたはそれ以上のマイクロプロセッサ、または任意のその他の構成として実装されてよい。
【００６４】
本明細書において開示された実施形態に関連して説明された方法、プロセスまたはアルゴリズムのステップは、ハードウェア、プロセッサによって実行されるソフトウェアモジュール、または両者の組み合わせにおいて、直接具体化されてもよい。方法またはプロセスにおける様々なステップまたは行為は、示された順に行なわれてもよいし、または別の順に行なわれてもよい。さらに、１つまたはそれ以上のプロセスまたは方法のステップが省略されてもよい。または、１つまたはそれ以上のプロセスまたは方法のステップが本件方法およびプロセスに追加されてもよい。追加的な手順、ブロックまたはアクションは、本方法およびプロセスの始め、終わりまたは途中に存在するエレメントに加えられてよい。
【００６５】
開示された実施形態における上記記載は、当業者をして、本開示の製造又は利用を可能とするために提供される。これら実施形態への様々な変形例もまた、当業者には明らかであり、本明細書で定義された一般原理は、本開示の精神又は範囲から逸脱することなく他の実施形態にも適用されうる。従って本開示は、本明細書に示された実施形態に限定することは意図されておらず、本明細書に開示された原理及び新規特徴と整合が取れた最も広い範囲と一致するように意図されている。
【図１】
2011524688.tif 000003
【図２】
2011524688.tif 000004
【図３】
2011524688.tif 000005
【手続補正書】
【提出日】平成23年3月25日(2011.3.25)
【手続補正１】
【補正対象書類名】明細書
【補正対象項目名】００１７
【補正方法】変更
【補正の内容】
【００１７】
ＦＭ帯域の中のＲＦ出力リンクの確立および維持に関連した問題のうちのいくつかを緩和するために、パーソナルナビゲーションデバイスは、ナビゲーション装置の中で可能にされた位置特定技術(position location techniques)を使用することで、その場所を判断し、かつ、１つ以上の候補ＦＭ周波数を判断するように構成することができる。１つ以上の候補周波数群は場所に部分的に基づいて判断されるかもしれず、場所に関連した、割り付けられたあるいは自由なＦＭ帯域のデータベースに部分的に基づくことができる。
【手続補正２】
【補正対象書類名】明細書
【補正対象項目名】００２８
【補正方法】変更
【補正の内容】
【００２８】
ＳＰＳ受信機１１０は、メモリ２２２に連結されたプロセッサ２２０と共に作動するように構成されるＳＰＳ受信機２１０に連結されたＳＰＳアンテナ２０２を含む。ＳＰＳ受信機２１０は、多くのＧＰＳ衛星ビヒクル信号を受信してＳＰＳ受信機１１０の位置測定(fix)か地理的位置を判断するように構成することができる。典型的には、ＳＰＳ受信機２１０は、明白な位置測定(fix)の状態にするために４つの衛星ビヒクルからの信号を要求する。ＧＰＳ受信機が位置測定(fix)を判断することができる方法は有名である。一般に、ＳＰＳ受信機２１０は、衛星ヒビクルのそれぞれからのＰＮエンコード信号を受信し、また、天文暦(ephemeris)データによって修正されるような衛星位置情報の暦(almanac)に基づいて各衛星への擬似(pseudo)距離を判断する。３つの別個の衛星ビヒクルへの擬似範囲(pseudoranges)は、三次元位置決めをさせるのに一般的に十分であり、その精度はタイミングまたはクロックの不確定性によって影響される。第４の衛星ビヒクルへの擬似範囲は、クロック不確定性を解決するかそうでなければ洗練するために使用することができる。
【手続補正３】
【補正対象書類名】明細書
【補正対象項目名】００３２
【補正方法】変更
【補正の内容】
【００３２】
プロセッサ２２０は、ユーザインタフェース２４０によって提供されるユーザ目標を受信することができ、ＳＰＳ受信機２１０からのＳＰＳ受信機１１０の地理的位置を判断し、現在の地理的位置からユーザ目標への経路を判断するために地図データベース２３０にアクセスすることができる。プロセッサ２２０は、ＳＰＳ受信機２１０からの位置最新版(position updates)に基づいて経路を更新することができる。
【手続補正４】
【補正対象書類名】明細書
【補正対象項目名】００３３
【補正方法】変更
【補正の内容】
【００３３】
プロセッサ２２０は、ユーザに目標の視覚的ガイド(visual guide)を提供するためにディスプレイ２４２上の地図および経路情報を出力することができる。さらに、ＳＰＳ受信機１１０は、合成された音声出力のような音声出力を提供するように構成することができる、音声シンセサイザ２６０を含むことができる。音声シンセサイザ２６０からの音声出力は、ディスプレイ２４２上の視覚的情報出力を増大する(augment)音声ナビゲーション情報を含むことができる。
【手続補正５】
【補正対象書類名】明細書
【補正対象項目名】００３６
【補正方法】変更
【補正の内容】
【００３６】
ＳＰＳ受信機１１０は、音声出力が変調される低い干渉ＲＦ搬送波のユーザ選択を促進するための知的な支援(intelligent assistance)を含む。ＳＰＳ受信機１１０はＦＭ放送データベース(FM broadcast database)２５０を含むことができる。ＦＭ放送データベース２５０は、ＦＭ帯域の内のすべての許可された放送局の周波数割り当てを含むことができ、許可された放送局を地理上の区域へ関連づけることができる。ＦＭ放送データベース２５０は、製造者(manufacturer)に最初に読み出されることができ、地図データベースを更新することに類似したやり方で最新のデータベースをダウンロードすることにより更新されるかもしれない。ＳＰＳ受信機１１０は、１つ以上の候補周波数群のリストを判断するためにＳＰＳ受信機２１０によって提供される現在の地理的位置を利用することができる。
【手続補正６】
【補正対象書類名】明細書
【補正対象項目名】００３７
【補正方法】変更
【補正の内容】
【００３７】
１つの実施例では、ＳＰＳ受信機１１０は、場所を包含する受信可能範囲(coverage area)内の許可された放送局のリストへのＳＰＳ受信機２１０によって判断されたつい最近の地理的位置を比較する。ＳＰＳ受信機１１０は、放送局が地理上の区域で割り付けられないＲＦ搬送波を選択することができる。
【手続補正７】
【補正対象書類名】明細書
【補正対象項目名】００３８
【補正方法】変更
【補正の内容】
【００３８】
ＳＰＳ受信機１１０は制限を促進する、あるいは１つ以上のパラメータまたは基準をフィルタリングすることに基づいてＲＦ搬送波を順位付けする(rank)ことができる。フィルタする基準は、例えば、許可された放送局へのＲＦ搬送波のスペクトルの近接、ＳＰＳ受信機２１０、所定周波数選択(preference)（例えばより低い帯域周波数か上層帯域周波数への選択）などあるいはそれらのある組合せからの地理的位置への許可された放送局の送信機場所の物理的近接を含むことができる。
【手続補正８】
【補正対象書類名】明細書
【補正対象項目名】００４２
【補正方法】変更
【補正の内容】
【００４２】
他の実施例では、ＦＭ放送データベース２５０は、有効周波数およびそれらの関連する可用性エリアのリストを格納するように構成することができる。ＳＰＳ受信機１１０は、ＳＰＳ受信機２１０から、その地理的位置を判断することができ、そして、地理上の区域を包含する有効ＲＦ周波数のリストを判断するためにＦＭ放送データベース２５０にアクセスすることができる。ＳＰＳ受信機１１０は、初期の実施例に記述された基準と同じまたは似ている基準を使用して、同様に結果を順位付けするまたはフィルタすることができる。ＳＰＳ受信機１１０は、順位付けされた(ranked)結果を表示し、前の実施例でのようなユーザ選択を受諾することができる。
【手続補正９】
【補正対象書類名】明細書
【補正対象項目名】００４５
【補正方法】変更
【補正の内容】
【００４５】
１つの実施例では、ＳＰＳ受信機１１０は、候補周波数群のリストが更新されることを要求するユーザ入力を受信することができる。別の実施例では、ＳＰＳ受信機１１０は、自動化された(automated)パラメータに基づいて有効周波数のリストを自動的に更新するように構成することができる。例えば、ＳＰＳ受信機１１０は、ＳＰＳ受信機２１０が最新の地理的位置を提供するたびに、または最新の地理的位置から判断された要因に基づいて有効周波数のリストを更新することができる。あるいは、ＳＰＳ受信機１１０は、地理的位置の変更がある所定のしきい値を越える場合は、有効周波数のリストを更新するかもしれない。一般に、ＳＰＳ受信機１１０は、時間の経過に基づいて有効周波数のリスト、イベントの発生あるいはそれらのある組合せを更新することができる。
【手続補正１０】
【補正対象書類名】特許請求の範囲
【補正対象項目名】請求項１８
【補正方法】変更
【補正の内容】
【請求項１８】
前記少なくとも１つの候補無線周波数を判断することは、許可されたＦＭ無線通信帯域中の少なくとも１つの候補周波数を判断することを含む請求項１３の方法。
【手続補正１１】
【補正対象書類名】図面
【補正対象項目名】図２
【補正方法】変更
【補正の内容】
【図２】
2011524688.tif 000006
【国際調査報告】
2011524688.tif 000007
2011524688.tif 000008
2011524688.tif 000009